(57)【要約】【課題】  簡素な構造で耐久性のある移動・固定機構を有する室内照明灯を提供する。【解決手段】光源（37）からの光を透過するレンズ（54）が取り付けられているベゼル部（52）は、車体（11）に固定される本体（30）に支持されている。本体（30）またはベゼル部（52）の一方には球面（52ａ）が設けられており、他方には球面（52ａ）に対して摺接する摺接部材（34）が設けられていて、摺接部材（34）を球面（52ａ）に対して弾性押圧することにより、ベゼル部（52）は本体（30）の支持部（33）に対して回動自在、かつ、任意の位置に固定可能になる。この室内照明灯（10）では、摺接部材（34）として金属板が用いられているので、従来のようなフェルト製の摺接部材が温度や経時変化により磨耗したり変質したりして、光源を所望の方向に固定できなくなるという問題を解消できることになる。また、スプリング等を用いた場合に比して、部品点数の増加によるコストアップも回避できる。【選択図】  図１
2005125870.tif 000002
【特許請求の範囲】
【請求項１】
車体に固定される本体と、前記本体に設けられた支持部に支持されるとともに光源からの光を透過可能なレンズを有するベゼル部とを備え、
前記本体および前記ベゼル部のうちの一方に設けられた球面と、前記本体および前記ベゼル部のうちの他方に設けられた摺接部材とを摺接させることにより、前記本体に対して前記ベゼル部を回動させて光軸の向きを調整可能な室内照明灯であって、
前記摺接部材が前記球面に対して弾性押圧可能であることを特徴とする室内照明灯。
【請求項２】
前記摺接部材が前記ベゼル部の内側に設けられた凹状球面に対して摺接することを特徴とする請求項１に記載した室内照明灯。
【請求項３】
前記摺接部材が前記球面に対する放射状位置に複数配置されているとともに、前記各摺接部材間に前記球面を案内する案内部が設けられていることを特徴とする請求項１に記載した室内照明灯。
【請求項４】
前記各摺接部材が前記球面における同一周方向に沿う略Ｔ字状であることを特徴とする請求項３に記載した室内照明灯。
【請求項５】
前記球面に対して点接触可能な突起が前記摺接部材に設けられていることを特徴とする請求項１に記載した室内照明灯。
【発明の詳細な説明】
【技術分野】
【０００１】
本発明は室内照明灯に係り、例えば自動車のドアや天井等に取り付けられる室内照明灯に関する。
【背景技術】
【０００２】
従来の室内照明灯としては、例えば図１０に示すようなものが開示されている（例えば特許文献１参照）。
この室内照明灯は、例えばワゴン車のバックドアに取り付けて使用するものであり、照射方向を変えることにより、ワゴン車の後部に設けられているラゲッジルームや開けたバックドアの下方を照らすことができるようになっている。
【０００３】
図１０に示すように、この室内照明灯100は、バックドアの壁面を形成するトリム101にランプハウジング102が取り付けられており、このランプハウジング102の前方には円形の開口103が設けられている。この開口103から後方（図１０において右方）には、球面状の内面を有するランプ支持部104が設けられており、このランプ支持部104の内側には、部分球面状をしたランプ本体105が所定範囲で３６０度回転自在に設けられている。ランプ本体105の内部にはバルブ106が装着されており、前面（図１０において左面）には、ランプハウジング102の開口103から突出するレンズ部107が設けられている。このレンズ部107と開口103との間にスペースＳが設けられており、ランプ本体105の回転量を規制している。
【０００４】
【特許文献１】特開２０００−１１４１号公報（第３頁、第４図）
【発明の開示】
【発明が解決しようとする課題】
【０００５】
ところで、前述した室内照明灯100においては、バルブ106を装着したランプ本体105が所定範囲で３６０度方向変換することが可能になっており、レンズ部107を手で移動させることにより方向変換が行われている。この際、このような室内照明灯100において所望の方向に向けたランプ本体105を固定するのは、通常、ランプ支持部104の内面とランプ本体105の外面と間に設けたフェルトの摩擦抵抗により行われている。このため、高温に置かれた場合や経時変化によりフェルトの弾力性がなくなると、ランプ本体105を所望の方向に固定できなくなるという不都合があった。
【０００６】
そこで、温度や経時変化がほとんど影響しないばねとボールとの組み合わせを使用することも考えられるが、この場合には、部品点数が増加してコストアップを招くとともに、構造が複雑になるという問題が生じる。
【０００７】
本発明は、前述した問題点に鑑みてなされたものであり、その目的は簡素な構造で耐久性のある移動・固定機構を有する室内照明灯を提供することにある。
【課題を解決するための手段】
【０００８】
前述した目的を達成するために、本発明は、車体に固定される本体と、前記本体に設けられた支持部に支持されるとともに光源からの光を透過可能なレンズを有するベゼル部とを備え、前記本体および前記ベゼル部のうちの一方に設けられた球面と、前記本体および前記ベゼル部のうちの他方に設けられた摺接部材とを摺接させることにより、前記本体に対して前記ベゼル部を回動させて光軸の向きを調整可能な室内照明灯であって、前記摺接部材が前記球面に対して弾性押圧可能であることを特徴としている。
【０００９】
このように構成された室内照明灯においては、光源からの光を透過するレンズが取り付けられているベゼル部は、車体に固定される本体の支持部に支持されている。すなわち、本体またはベゼル部の一方には球面が設けられており、他方には球面に対して摺接する摺接部材が設けられていて、摺接部材を球面に対して弾性押圧することにより、ベゼル部は本体に対して回動自在、かつ、任意の位置に固定されることになる。摺接部材としては、金属板を用いてもよく、あるいは樹脂板等を用いてもよい。また、摺接部材の形状は、例えばＴ字状等を採用すればよいが、Ｌ字状、Ｙ字状、Ｊ字状等を採用してもよく、任意である。
従って、この室内照明灯においては、弾性押圧可能な摺接部材を用いることにより、従来のようなフェルト製の摺接部材が温度や経時変化により磨耗したり変質したりして、光源を所望の方向に固定できなくなるという問題を解消できることになる。また、スプリング等を用いた場合に比して部品点数を少なくできるため、部品点数の増加によるコストアップも回避できる。
【００１０】
また、本発明は、前記摺接部材が前記ベゼル部の内側に設けられた凹状球面に対して摺接することを特徴としている。
【００１１】
このように構成された室内照明灯においては、ベゼル部の内側に設けられている凹状球面に摺接部材を押し付けることにより、ベゼル部を回動自在、かつ、所望の方向へ光軸を位置決めできる。
【００１２】
また、本発明は、前記摺接部材が前記球面に対する放射状位置に複数配置されているとともに、前記各摺接部材間に前記球面を案内する案内部が設けられていることを特徴としている。
【００１３】
このように構成された室内照明灯においては、摺接部材が球面に対する放射状位置に複数設けられているので、ベゼル部は安定して回動可能、かつ、固定可能となる。また、摺接部材間に案内部を設けることにより、ベゼル部が本体に対してがたつくのを防止して、スムーズに回動でき、かつ、確実に所望の位置に固定できる。
【００１４】
また、本発明は、前記各摺接部材が前記球面における同一周方向に沿う略Ｔ字状であることを特徴としている。
【００１５】
このように構成された室内照明灯においては、摺接部材が略Ｔ字状をしており、球面に対して同一周方向に配することにより、ベゼル部は本体に対して安定して回動可能、かつ、固定可能となる。
【００１６】
また、本発明は、前記球面に対して点接触可能な突起が前記摺接部材に設けられていることを特徴としている。
【００１７】
このように構成された室内照明灯においては、摺接部材に設けられている突起が球面に押圧されることにより、適度の摩擦を持ってベゼル部が本体に対して回動可能にするとともに固定可能にできる。
【発明の効果】
【００１８】
本発明によれば、従来のような、高温に置かれた場合や経時変化によりフェルトの弾力性がなくなって、ベゼル部を所望の方向に固定できなくなるという問題を解消できる。また、温度や経時変化がほとんど影響しないばねとボールとの組み合わせを使用する場合に比して、部品点数が増加するという問題を回避できる。これにより、簡素な構造で耐久性のある移動・固定機構を有する室内照明灯を提供できる。
【発明を実施するための最良の形態】
【００１９】
以下、本発明に係る実施形態を図面に基づいて詳細に説明する。図１は本発明に係る室内照明灯の実施形態を示す分解斜視図、図２は図１においてII方向から見た室内照明灯の背面図、図３は図２においてIII方向から見た斜視図、図４は本発明に係るランプ収容穴の平面図、図５（Ａ）は摺接部材の位置例を示す正面図、（Ｂ）は平面図、図６（Ａ）は別の摺接部材の例を示す正面図、（Ｂ）は平面図、図７は本発明に係る室内照明灯を車体に取り付けた状態を示す断面図である。
【００２０】
図１に示すように、本発明の実施形態である室内照明灯10は、車室内12（図７参照）に露出する意匠部20と、この意匠部20の内側にあって、各種電気部品等が取り付けられている本体としての機能部本体30とを有している。
図７に示すように、この室内照明灯10は、意匠部20を車体11の内側に設けられている内装材（トリム）13に取り付けられており、あらかじめ内装材13の裏側に配線されているワイヤハーネスＷ／Ｈに容易に接続可能となっている。
【００２１】
図１から図３に示すように、意匠部20は、表面21ａが車室内12に露出する例えば矩形状をしたフレーム21を有しており、このフレーム21の中央部には左右のスイッチ51Ｌ、51Ｒを車室内12に露出させるためのスイッチ穴22Ｌ、22Ｒが設けられている。また、フレーム21の左右部分には、左右のランプ50Ｌ、50Ｒを車室内12に露出させるためのランプ穴23Ｌ，23Ｒが設けられている。各ランプ穴23Ｌ，23Ｒには、機能部本体30をフレーム21に取り付けるための略円柱状の取付部24がフレーム21の裏面21ｂから内側に向かって設けられている。なお、フレーム21の裏面21ｂには、フレーム21を車室内12の天井の内装材13に取り付けるためのクリップ25（図７参照）が設けられている。
【００２２】
図１から図３に示すように、機能部本体30は全体長円形のフレーム状部材であり、左右両端部にはランプ50Ｌ、50Ｒを収容するランプ収容穴31Ｌ、31Ｒを有している。また、機能部本体30の中央部には、両ランプ収容穴31Ｌ、31Ｒの間に、スイッチ51Ｌ、51Ｒを取り付けるためのスイッチ収容部32Ｌ、32Ｒを有している。なお、スイッチ51Ｌ、51Ｒは、その接続端子にワイヤハーネスＷ／Ｈの先端に取り付けられているコネクタ14を取り付けることにより、容易に着脱可能となっている（図７参照）。
【００２３】
両ランプ収容穴31Ｌ、31Ｒの縁は、ランプ50Ｌ、50Ｒを支持する支持部としての円形のリング部材33が各々設けられている。各リング部材33には機能部本体30の裏側（図１において右側）に突出した円柱状のガイド部材38が設けられており、左右のガイド部材38は対向する部分が切り欠かれていて、スイッチ51Ｌ，51Ｒや光源であるバルブ37等の各種電気部品が装着可能となっている。ガイド部材38は、装着される全ての電気部品等よりも背が高く、電気部品等が車体11に衝突するのを防止する働きがある。左右のガイド部材38の内部には各々バルブ37が取り付けられるようになっている。なお、バルブ37の後方（図３において上方）には反射板37ａが設けられており、バルブ37から発せられる光を効率よく所望の方向へ照射するようになっている。
【００２４】
図１および図４に示すように、リング部材33の内周面を例えば三等分した位置には、金属製の摺接部材34を取り付けるための摺接部材取付凹部35が設けられている。摺接部材34は、図５（Ａ）に示すように、全体Ｔ字状をしており、支持ポスト34ａと、この支持ポスト34ａに直交するとともに部分円状に湾曲した支持アーム34ｂとを有している。支持アーム34ｂの外周面における左右両端部には、例えば部分球状をした突起34ｃが外向きに突出して設けられており、各摺接部材34の全ての突起34ｃの先端は、同一円である球面52ａ上に配置されるようになっている。
なお、摺接部材34は、樹脂製であってもよく、略Ｔ字状以外の形状であってもよい。
【００２５】
ここでは、摺接部材34は、支持ポスト34ａを摺接部材取付凹部35に差し込んで、突起34ｃが外向きに突出するように取り付けられる。なお、支持ポスト34ａおよび支持アーム34ｂは、弾性を有する部材であり、常時突起34ｃは球面52ａに弾性力により押圧されている。
なお、図６（Ａ）および（Ｂ）に示すように、支持アーム34ｂは、直線状に折り曲げて形成することもできる。但し、この場合には、折り曲げ点Ｐが突起34ｃの先端を通る球面52ａよりも内側にあるようにする必要がある。
【００２６】
図１および図４に示すように、ランプ収容穴31Ｌ、31Ｒのリング部材33の外側には案内部36が一段突出して設けられている。この案内部36の外側面は、摺接部材34の支持ポスト34ａを摺接部材取付凹部35に嵌入して取り付けた際に、隣接する摺接部材34間を同心円状に埋めるものであり、摺接部材34による摺動面である突起34ｃの先端を結ぶ同心円（球面52ａ）よりも内側に位置するように設けられている。
また、リング部材33の外側面には、機能部本体30を取り付けるための係止爪39が適宜の間隔で複数個設けられている。従って、係止爪39とリング部材33との間に意匠部20の取付部24を挟むことにより、機能部本体30と意匠部20のフレーム21とを結合している。
【００２７】
図１に示すように、意匠部20と機能部本体30との間には、左右のランプ50Ｌ，50Ｒが取り付けられている。なお、左右のランプ50Ｌ，50Ｒは同じものなので、以下の説明においては特に必要な場合を除き、単にランプ50として説明する。
ランプ50は、外ベゼル52、内ベゼル53、レンズ54等を有しており、バルブ37から発せられる光線を所定の方向へ照射するものである。
【００２８】
外ベゼル52は、先端部分が意匠部20のランプ穴23Ｌ，23Ｒから車室内12に突出する大きさであり、全体部分球状をしていて内面には凹状の球面52ａが形成されている。また、中央にはレンズ54が嵌る窓52ｂを有している。
内ベゼル53は、円柱状のベゼル本体53ａと、このベゼル本体53ａにヒンジ53ｃを介して開閉自在に設けられているレンズ押え53ｂとを有している。従って、レンズ54の凸面をベゼル本体53ａの後端部に嵌め、レンズ押え53ｂを閉じることによりレンズ54を保持している。
【００２９】
左右のランプ50Ｌ，50Ｒは、各々機能部本体30のランプ収容穴31Ｌ，31Ｒに回動自在、かつ、所定位置に固定可能に取り付けられている。すなわち、図４に示すように、機能部本体30に取り付けられている３個の摺接部材34が外ベゼル52の内側に位置し、支持アーム34ｂに設けられている突起34ｃが弾性的に球面52ａに押圧される。これにより、外ベゼル52は機能部本体30に対して回動可能、かつ、所望の位置に固定可能となる。
【００３０】
以上、前述した室内照明灯10によれば、外ベゼル52に設けられている球面52ａに対して機能部本体30に設けられている摺接部材34が弾性押圧されることにより、ランプ50は機能部本体30に対して回動自在、かつ、任意の位置に固定されることになる。ここで、摺接部材34として弾性的な金属板が用いられているので、従来のようなフェルト製の摺接部材が温度や経時変化により磨耗したり変質したりして、ランプを所望の方向に固定できなくなるという問題を解消できることになる。また、スプリング等を用いた場合に比して、部品点数の増加によるコストアップも回避できる。
【００３１】
また、摺接部材34が球面52ａに対する放射状位置に複数設けられているので、ランプ50は安定して回動可能、かつ、固定可能となる。また、摺接部材34間に案内部36を設けることにより、ランプ50が機能部本体30に対してがたつくのを防止して、スムーズに回動でき、かつ、確実に所望の位置に固定できる。また、摺接部材34が略Ｔ字状をしているので、球面52ａに沿った複数個の突起34ｃを設けることができ、少ない摺接部材34で球面52ａを確実に支持できる。さらに、突起34ｃを球面52ａに押圧して支持するので、適度の摩擦を持ってランプ50が機能部本体30に対して回動可能にするとともに固定可能にできる。
そして、ランプ収容穴31Ｌ、31Ｒのリング部材33の外側に案内部36が設けられているため、摺接部材34に過度な力が加わっても、意図しないような大きな変形を規制できる。
【００３２】
なお、本発明の室内照明灯10は、前述した実施形態に限定されるものでなく、適宜な変形，改良等が可能である。
例えば、前述した実施形態においては、機能部本体30に取り付けられた摺接部材34によって外ベゼル52の内面に設けられている凹状の球面52ａを回動可能に外向きに押圧支持した場合について説明したが、この他、図８に示すように、外ベゼル52の外面に凸状の球面52ｃを設けて、摺接部材34により回動自在に支持することもできる。この場合には、図９（Ａ）および（Ｂ）に示すように、突起34ｃは支持アーム34ｂの内側に突出するように設ける。このようにしても、前述した実施形態と同様の作用・効果を得ることができる。
【００３３】
また、前述した実施形態においては、一方としての外ベゼル52の内面に凹状の球面52ａを設けるとともに、他方としての機能部本体30に摺接部材34を取り付けて外ベゼル52を回動自在に支持した。これに代わって、一方としての機能部本体30に球面52ａを設けるとともに、他方としての機能部本体30に摺接部材34を取り付けて、外ベゼル52を回動自在、かつ、固定化脳に支持することもできる。このようにしても、前述した実施形態と同様の作用・効果を得ることができる。
【００３４】
また、前述した実施形態においては、左右一対のランプ50Ｌ、50Ｒを有する場合について説明しているが、ランプ50の数は任意である。従って、ランプ穴23の数およびスイッチ穴22の数はランプ50の数に対応するものであり、適宜に変化するものである。
【００３５】
その他、前述した実施形態において例示した摺接部材，外ベゼル，内ベゼル，機能部本体，意匠部フレーム等の材質，形状，寸法，形態，数，配置個所等は本発明を達成できるものであれば任意であり、限定されない。
【図面の簡単な説明】
【００３６】
【図１】本発明に係る室内照明灯の実施形態を示す分解斜視図である。
【図２】図１においてII方向から見た室内照明灯の背面図である。
【図３】図２においてIII方向から見た斜視図である。
【図４】本発明に係るランプ収容穴の平面図である。
【図５】（Ａ）は摺接部材の一例を示す正面図、（Ｂ）は平面図である。
【図６】（Ａ）は別の摺接部材の例を示す正面図、（Ｂ）は平面図である。
【図７】本発明に係る室内照明灯を車体に取り付けた状態を示す断面図である。
【図８】外ベゼルの外側に凸状の球面を設けた場合を示す正面図である。
【図９】（Ａ）は摺接部材を示す正面図、（Ｂ）は平面図である。
【図１０】従来の室内照明灯の一例を示す断面図である。
【符号の説明】
【００３７】
10  室内照明灯
11  車体
30  機能部本体（本体）
33  リング部材（支持部）
34  摺接部材
34ｃ  突起
36  案内部
37  バルブ（光源）
52  外ベゼル（ベゼル部）
52ａ  球面
53  内ベゼル（ベゼル部）
54  レンズ
【図１】
2005125870.tif 000003
【図２】
2005125870.tif 000004
【図３】
2005125870.tif 000005
【図４】
2005125870.tif 000006
【図５】
2005125870.tif 000007
【図６】
2005125870.tif 000008
【図７】
2005125870.tif 000009
【図８】
2005125870.tif 000010
【図９】
2005125870.tif 000011
【図１０】
2005125870.tif 000012